(57)【特許請求の範囲】
【請求項１】
ビヒクル水溶液と、顔料と、ベシクル形成脂質とを含有するインク組成物において、前記ベシクル形成脂質が以下の構造を有するビス（アルキルエステル）アンモニウム化合物であり、
【化１】
0003977915.tif 000020
式中、Ｒ1は（ａ）水素原子、（ｂ）アルキル基であり、１個から３個までの炭素原子から成り、または下記（ｃ）であり、
【化２】
0003977915.tif 000021
式中、Ｂがアルキル基であり、１個から３個までの炭素原子から成り、
Ｒ2は（ａ）水素原子、（ｂ）アルキル基であり、１個から３個までの炭素原子から成り、または下記（ｃ）、
【化３】
0003977915.tif 000022
式中、Ｒ5が水素原子、メチル基またはエチル基、または（ｄ）ヒドロキシアルコール基であり、２個から４個までの炭素原子から成り、または下記（ｅ）であり、
【化４】
0003977915.tif 000023
式中、Ｂはアルキル基であり、１個から３個までの炭素原子から成り、または下記（ｆ）であり、
【化５】
0003977915.tif 000024
式中、ベンジル基が、置換または非置換であり、
Ｒ3およびＲ4は各々、互いに独立して以下の式であって、
【化６】
0003977915.tif 000025
式中、Ｒ6が長鎖状アルキル基であり、８個から２２個までの炭素原子から成り、
Ｘはハロゲン化アニオンであって、脂質のベシクルがインク内に存在することを特徴とするインク組成物。
【発明の詳細な説明】
【０００１】
【発明の属する技術分野】
本発明は、インク組成物および印刷方法に関する。本発明は、特に、ベシクル形成脂質のリポソームと、顔料とを含有するインク組成物、およびこのインクを採用する印刷方法に関する。
【０００２】
【従来の技術】
周知のインクジェットインクは、一般に、水溶性染料を含有しており、この水溶性染料は、水又は水溶性もしくは水混和性有機溶媒と水との混合物等のインクビヒクルに溶けやすい。溶性染料から成るインクは、様々な問題、例えば、不十分な耐水性、乏しい耐光性、溶媒の蒸発や染料の溶解度の変化の結果起きる噴射チャネルの目詰まり、染料結晶化、白紙に印刷が行われる際のインクのにじみ、不十分な熱安定性、化学的不安定性、酸化し易さ、低滴下速度等を生じる可能性がある。さらに、インクに含有される染料の多くは、潜在的に毒性であるか、または突然変異誘発性である可能性がある。これらの問題は、インク製剤に使用する染料を不溶性顔料と交換することにより、最小限に抑えることが可能である。一般に、耐水性、耐光性、画像密度、熱安定性、酸化安定性、コーティングされ且つ処理された白紙との融和性、画像エッジの鋭さ、画像フェザリングの低減、無毒性および非突然変異誘発性に関して、染料よりも顔料の方が優れている。
【０００３】
【発明が解決しようとする課題】
しかし、着色剤として顔料粒子を含有するヘテロ位相（ｈｅｔｅｒｏｐｈａｓｅ）インクにも、難点がある。例えば、粒子着色剤は、特にインクを長期間蓄えると、沈降するか、ビヒクル液から分離する傾向がある。さらに、着色剤として顔料粒子を含有するインクは、透明ではなく不透明の傾向があり、それによって、オーバヘッド投影のために透明紙に画像を印刷する有用性を減じる。さらに、着色剤として顔料粒子を含有するインクは、印刷ヘッドの狭いオリフィスを詰まらせ、その結果、印刷の質が悪くなる。
【０００４】
米国特許第４，７８３，２２０号は、脂質溶性染料を含む油溶性染料が付随するアニオン、カチオン、両性イオンおよび非イオン分子の界面活性剤で形成された小さな単層状または多層状のベシクルから成るインク組成物を開示している。染料と界面活性剤との比は、約１：１から約１：１０であるのが好ましい。この組成物は、フレキソ印刷（ｆｌｅｘｏｇｒａｐｈｙ）や輪転グラビア（ｒｏｔｏｇｒａｖｕｒｅ）等の伝統的印刷技術や、インクジェットプリンタ等の電子印刷システムにおいて有用である。
【０００５】
周知の組成物および方法は、意図される目的に適するものであるが、インクジェット印刷システムでの使用に適する改良したインク組成物が必要である。さらに、エッジ不規則性が僅かである、望ましい線幅である、ｍｆｌｅｎ値が小さい等の優れた印刷特性を示す印刷が得られるインク組成物が必要である。さらに、安全で環境上好都合なインク組成物が必要である。また、ヘテロ位相着色剤を含有し、且つ着色剤からの沈降に関して優れた安定性を示すインク組成物が必要である。耐光性の優れたインク組成物も必要である。さらに、乾燥特性の優れたインク組成物が必要である。また、臭気保持を低減するインク組成物が必要である。さらに、印刷ヘッド環境と両立し、例えば、潜在性、コゲーション（ｋｏｇａｔｉｏｎ）および熱安定性の優れたインク組成物が必要である。泡立ち特性が希薄であるインク組成物も必要である。さらに、ｐＨ安定性が優れたインク組成物が必要である。また、光学濃度が優れた印刷が得られるインク組成物が必要である。また、耐水性の優れたインク組成物が必要である。耐スミア性に優れた印刷を得るインク組成物も必要である。さらに、表面張力が比較的小さいインク組成物が必要である。また、優れた印刷特性、環境上の都合好さと安全性、高速乾燥特性、優れた光学濃度、優れた耐光性、優れた乾燥スミア耐性、優れた湿潤スミア耐性、優れた耐水性等の特性と共に、表面張力が比較的小さいインク組成物が必要である。
【０００６】
【課題を解決するための手段】
本発明は、上記利点を有するインク組成物を提供することを目的とする。
【０００７】
本発明（またはその特定の実施の形態）のこれら、および他の目的は、ビヒクル水溶液と、顔料と、ベシクル形成脂質とを含有し、前記ベシクル形成脂質がビス（アルキルエステル）アンモニウムハロゲン化物であって、インク中に脂質のベシクルが存在することを特徴とするインク組成物を提供することによって、達成できる。
【０００８】
【発明の実施の形態】
本発明のインク組成物は、ビヒクル水溶液と、顔料と、ベシクル形成脂質とを含有し、脂質のベシクルがインク内に存在するものである。ビヒクル液は、単に水のみから成るか、または、水溶性もしくは水混和性有機成分、例えば、エチレングリコール、プロピレングリコール、ジエチレングリコール、グリセリン、ジプロピレングリコール、ポリエチレングリコール、ポリプロピレングリコール、アミド類、エーテル類、カルボン酸類およびその塩、エステル類、アルコール類、オルガノスルフィド類、オルガノスルホキシド類、スルホン類、アルコール誘導体類、ブチルカルビトールやセルソルブ等のヒドロキシエーテル誘導体類、アミノアルコール類、ケトン類、多価電解質類、他の水溶性もしくは水混和性物質ならびにその混合物と水との混合物を含有することも可能である。水と水溶性または水混和性有機液との混合物が、ビヒクル液として選択されると、水と有機物との比は、一般に約１００：０から約３０：７０までの範囲となり、好ましくは、約９７：３から約４０：６０までの範囲となる。ビヒクル液の非水成分は、一般に沸点が、水（１００℃）よりも高い湿潤剤（ｈｕｍｅｃｔａｎｔ）として作用する。本発明のインク組成物では、ビヒクル液が一般に、インクの約８０重量パーセントから約９９．９重量パーセントまで、好ましくは、約９０重量パーセントから約９９重量パーセントまでの量で存在するが、これらの範囲外であってもよい。
【０００９】
本発明のインクは、ベシクル、またはベシクル形成脂質のリポソームも含有する。脂質は、一般に、有機溶媒に溶けやすいが、水に対してあまり溶けないか、または不溶性の物質である。脂質は、一般に、その骨格構造に従って分類され、脂肪酸、トリアシルグリセリン、グリセロホスホリピド（ｇｌｙｃｅｒｏｐｈｏｓｐｈｏｌｉｐｉｄｓ）、スフィンゴリピド（ｓｐｈｉｎｇｏｌｉｐｉｄｓ）、ステロイド等を含む。ベシクル形成脂質は、通常、極性「ヘッド」基（“ｈｅａｄ”ｇｒｏｕｐ）に付着した２つの非極性「テール」基（“ｔａｉｌ”ｇｒｏｕｐ）を有する。水性媒体において、ベシクル形成脂質は、平面二層シートに密集し、バルク水性位相と非極性基との好ましくない相互作用を最小限にする。この好ましくない相互作用は、シートが折り重なって、リポソームとして知られる密閉ベシクルを形成すると、さらに低減する。図１および図２に示すように、水溶液において、非極性端部３と極性端部７とを有する脂質分子５の多層膜を備えたベシクル１を形成する。極性端部７は、ベシクルの外面を形成し、非極性端部３は、外膜の内部構造を形成する。図１には、奇数個の分子層を備え、疎水性顔料粒子２１を任意に含有するリポソームが示され、図２には、偶数個の分子層を備え、親水性顔料粒子２３を任意に含有するリポソームが示される。これらのベシクル形成脂質の多層構造は、ミセル構造に優先して形成される傾向がある。その理由として、２つの非極性基が、この型式の凝集体により好適な全管形状を分子に分け与える傾向があることが挙げられる。対照的には、両親媒性でもあるが、一般に極性「ヘッド」基に付着した１個の非極性「テール」基のみを含む界面活性剤分子は、その臨界ミセル濃度以上の球形ミセルを形成する。界面活性剤分子の円錐形状により、球形ミセルに凝集体を形成することが可能となる。図３に略図で示すように、界面活性剤分子１５の水溶液中に形成され、非極性端部１３と極性端部１７とを有するミセル１１は、固体「ボール」型構造から成る。対照的に、ベシクルまたはリポソームは、中空「袋」型構造から成る。
【００１０】
リポソームは、「袋」構造の内部区画内で、しかも二層膜の層間で物質を捕らえることが可能である。さらに、二つ以上の二層膜を有するリポソームもあり、この膜は同一中心で形成され、この場合、二層膜間で物質を捕らえることも可能である。
【００１１】
本発明のインクでは、例えば、図１および図２に略図で示すように、顔料粒子がリポソームの内側に存在してもよい。あるいは、図４の略図で示すように、１個以上のリポソーム３３により、またはそれに付随して顔料粒子３１を包囲することも可能である。さらに他の実施の形態では、顔料粒子とリポソームの両方がインク内に存在することが可能であるが、互いに物理的には随伴不可能である。
【００１２】
グリセロホスホリピドは、生体膜の主脂質成分であり、脂肪酸に至るＣ（１）およびＣ（２）位置、並びに極性ヘッド基Ｘに至るホスホリル基においてエステル化されたｓｎ−グリセリン−３−リン酸塩から成る。
【００１３】
【化７】
0003977915.tif 000002
ここでは、Ｒ1およびＲ2が脂肪族炭化水素であり、好ましくは約６個から約２０個までの炭素原子から成るが、炭素原子の数はこの範囲外であってもよい。ホスファチジルホスホリピドは、一般に負に帯電されている。その理由は、リン酸塩の電荷がヘッド基によって中和されないからである。「Ｘ」が正の電荷を含む場合、インク内に対イオンＡ+が存在する必要はない。［Ｘ」が中性である場合、Ａ+はＣａ2+、Ｍｇ2+、Ｎａ+、Ｌｉ+、Ｈ+、ＮＨ4+等の対イオンである。好ましい対イオンは一価である。その理由は、二価または三価対イオンを使用することにより、構造上の転位が生じ、層が結合する場合も出てくるからである。グリセロホスホリピドは、非極性脂肪族テール（Ｒ1およびＲ2）並びに極性ホスホリル−Ｘヘッドを有する両親媒性分子である。共通類のグリセロホスホリピドの例として、ホスファチジン酸が挙げられる。ここでＸは、水素原子、ホスファチジルエタノールアミン類であり、Ｘは−ＣＨ2ＣＨ2ＮＨ3+、ホスファチジルコリンであり、Ｘは−ＣＨ2ＣＨ2Ｎ（ＣＨ3）3+、ホスファチジルセリンであり、Ｘは−ＣＨ2ＣＨ（ＮＨ3+）ＣＯＯ-、ホスファチジルイノシトールであり、Ｘは下記化２の通りで、
【化８】
0003977915.tif 000003
ホスファチジルグリセリンであり、Ｘは−ＣＨ2ＣＨ（ＯＨ）ＣＨ2ＯＨ、ジホスファチジルグリセリンであり、Ｘは以下の通りである。
【００１４】
【化９】
0003977915.tif 000004
ここでは、負に帯電された酸素が、Ｈ+、Ｎａ+、Ｌｉ+、Ｃａ2+、Ｍｇ2+、Ｂａ2+等の好適な対イオンに随伴可能である。Ｒ1およびＲ2（並びにジホスファチジルグリセリンのＲ3およびＲ4）は、一般に炭化水素基であり、好ましくは約６個から約２０個までの炭素原子から成り、より好ましくは約１０個から約１８個までの炭素原子から成るが、炭素原子の数は、これらの範囲外であってもよい。Ｒ基は、飽和または非共役不飽和炭化水素のいずれであってもよい。Ｘが正味の正電荷を含まない場合、好適な対イオンには、いずれかに帯電した原子が随伴する。好適なアニオンの例として、Ｃｌ-、Ｂｒ-、Ｉ-、ＨＳＯ4-、ＳＯ42-、ＮＯ3-、ＨＣＯＯ-、ＣＨ3ＣＯＯ-、ＨＣＯ3-、ＣＯ32-、Ｈ2ＰＯ4-、ＨＰＯ42-、ＰＯ43-、ＳＣＮ-、ＢＦ4-、ＣｌＯ4-、ＳＳＯ3-、ＣＨ3ＳＯ3-、ＣＨ3Ｃ6Ｈ4ＳＯ3-並びにその混合物が挙げられる。好適なカチオンの例として、Ｈ+、Ｎａ+、Ｌｉ+、Ｃａ2+、Ｍｇ2+、Ｂａ2+等が挙げられる。グリセリンホスホリピドの特定の例として、１，２−ジミリストイル−ｓｎ−グリセロ−３−ホスホコリンが挙げられる。ここでは、Ｒ1およびＲ2が各々−（ＣＨ2）12ＣＨ3であり、Ｘが−ＣＨ2ＣＨ2Ｎ（ＣＨ3）3+、１，２−ジパルミトイル−ｓｎ−グリセロ−３−ホスホコリンであり、Ｒ1およびＲ2が各々−（ＣＨ2）14ＣＨ3であり、Ｘが−ＣＨ2ＣＨ2Ｎ（ＣＨ3）3+、１，２−ジステアロイル−ｓｎ−グリセロ−３−ホスホコリンであり、Ｒ1およびＲ2が各々−（ＣＨ2）16ＣＨ3であり、Ｘが−ＣＨ2ＣＨ2Ｎ（ＣＨ3）3+、１，２−ジミリストイル−ｓｎ−グリセロ−３−ホスホエタノールアミンであり、Ｒ1およびＲ2が各々−（ＣＨ2）12ＣＨ3であり、Ｘが−ＣＨ2ＣＨ2ＮＨ3+、１，２−ジパルミトイル−ｓｎ−グリセロ−３−ホスホエタノールアミンであり、Ｒ1およびＲ2が各々−（ＣＨ2）14ＣＨ3であり、Ｘが−ＣＨ2ＣＨ2ＮＨ3+、１，２−ジステアロイル−ｓｎ−グリセロ−３−ホスホエタノールアミンであり、Ｒ1およびＲ2が各々−（ＣＨ2）16ＣＨ3であり、Ｘが−ＣＨ2ＣＨ2ＮＨ3+、１，２−ジミリストイル−ｓｎ−グリセロ−３−ホスホグリセリンであり、Ｒ1およびＲ2が各々−（ＣＨ2）12ＣＨ3であり、Ｘが−ＣＨ2ＣＨ（ＯＨ）ＣＨ2ＯＨ、１，２−ジパルミトイル−ｓｎ−グリセロ−３−ホスホグリセリンであり、Ｒ1およびＲ2が各々−（ＣＨ2）14ＣＨ3であり、Ｘが−ＣＨ2ＣＨ（ＯＨ）ＣＨ2ＯＨ、１，２−ジステアロイル−ｓｎ−グリセロ−３−ホスホグリセリンであり、Ｒ1およびＲ2が各々−（ＣＨ2）16ＣＨ3であり、Ｘが−ＣＨ2ＣＨ（ＯＨ）ＣＨ2ＯＨ、１，２−ジミリストイル−ｓｎ−グリセロ−３−ホスファチジン酸であり、Ｒ1およびＲ2が各々−（ＣＨ2）12ＣＨ3であり、Ｘが−Ｈ、１，２−ジパルミトイル−ｓｎ−グリセロ−３−ホスファチジン酸であり、Ｒ1およびＲ2が各々−（ＣＨ2）14ＣＨ3であり、Ｘが−Ｈ、１，２−ジステアロイル−ｓｎ−グリセロ−３−ホスファチジン酸であり、Ｒ1およびＲ2が各々−（ＣＨ2）16ＣＨ3であり、Ｘが−Ｈであり、これらは全てＳｙｇｅｎａ，Ｉｎｃ．，Ｃａｍｂｒｉｄｇｅ，ＭＡ等から入手可能である。ホスホリピドも、例えば、Ａｖａｎｔｉ Ｐｏｌａｒ Ｌｉｐｉｄｓ，Ｉｎｃ．，（Ａｌａｂａｓｔｅｒ，Ａｌａｂａｍａ）から入手可能であり、またＬｕｃａｓ Ｍｅｙｅｒ，（Ｐａ��ｉｓ，Ｆｒａｎｃｅ）のＰＲＯ−ＬＩＰＯとして入手可能である。ＰＲＯ−ＬＩＰＯ物質は、市販の混合物に水を添加することによりリポソームが自然に形成されるような形態で入手可能である。これらの物質は脂質の混合物であり、主成分は、水素化されたホスファチジルコリン（ソヤ系）であり、負に帯電した脂質を少量含み、安定二層を容易に形成する。
【００１５】
以下の一般式のジアシルグリセリンも好適である。
【００１６】
【化１０】
0003977915.tif 000005
ここではＲ1およびＲ2が一般に、炭化水素基であり、飽和か不飽和のいずれかの状態であり、好ましくは約１０個から約１８個までの炭素原子から成るが、炭素原子の数はこの範囲外であってもよい。ジアシルグリセリンの特定の例として、１，２−ジミリストイル−ｓｎ−グリセリンが挙げられ、Ｒ1およびＲ2が各々−（ＣＨ2）12ＣＨ3、１，２−ジパルミトイル−ｓｎ−グリセリンであり、Ｒ1およびＲ2が各々−（ＣＨ2）14ＣＨ3、１，２−ジステアロイル−ｓｎ−グリセリンであり、Ｒ1およびＲ2が各々−（ＣＨ2）16ＣＨ3であり、これらは全てＳｙｇｅｎａ，ＩＮＣ．，（Ｃａｍｂｒｉｄｇｅ，ＭＡ）等から入手可能である。
【００１７】
以下の一般式のα，ω−両極ジアセチルも好適である。
【００１８】
【化１１】
0003977915.tif 000006
ここでは、ｘおよびｙが各々、約６から約１０まで、好ましくは約８から約９までの整数であり、Ｒ1およびＲ2が各々−ＣＯＯＨ、−ＣＨ2ＯＨまたは−ＣＨ2ＯＰＯ3Ｈ2であり、これは、例えばＨ．ＢａｄｅｒおよびＨ．Ｒｉｎｇｓｄｏｒｆ、「Ｌｉｐｏｓｏｍｅｓ Ｆｒｏｍ α，ω−Ｄｉｐｏｌａｒ Ａｍｐｈｉｐｈｉｌｅｓ Ｗｉｔｈ ａ Ｐｏｌｙｍｅｒｉｚａｂｌｅ Ｄｉｙｎｅ Ｍｏｉｅｔｙ ｉｎ ｔｈｅ Ｈｙｄｒｏｐｈｏｂｉｃ Ｃｈａｉｎ」，Ｊｏｕｒｎａｌｏｆ Ｐｏｌｙｍｅｒ Ｓｃｉｅｎｃｅ：Ｐｏｌｙｍｅｒ Ｃｈｅｍｉｓｔｒｙ Ｅｄｉｔｉｏｎ，ｖｏｌ．２０，ｐ．１６２３（１９８２）に開示されたように生成される。
【００１９】
ビス（アルキルエステル）アンモニウムハロゲン化物を含むビス（アルキルエステル）アンモニウム化合物も好適である。ハロゲン化物の中では、臭化物が好ましい。好適なビス（アルキルエステル）アンモニウム化合物の例として、以下の一般式が挙げられる。
【００２０】
【化１２】
0003977915.tif 000007
ここでは、Ｒ1は（ａ）水素原子、（ｂ）アルキル基であり、好ましくは１個から約３個までの炭素原子から成り、または下記（ｃ）である。
【００２１】
【化１３】
0003977915.tif 000008
ここでは、Ｂがアルキル基であり、好ましくは１個から約３個までの炭素原子から成り、Ｒ2は（ａ）水素原子、（ｂ）アルキル基であり、好ましくは１個から約３個までの炭素原子から成り、または下記（ｃ）である。
【００２２】
【化１４】
0003977915.tif 000009
ここでは、Ｒ5が水素原子、メチル基またはエチル基、（ｄ）ヒドロキシアルコール基であり、好ましくは約２個から約４個までの炭素原子から成り、例えば以下のようになる。
【００２３】
【化１５】
0003977915.tif 000010
【化１６】
0003977915.tif 000011
ここではＢはアルキル基であり、好ましくは１個から約３個までの炭素原子から成り、又は下記（ｆ）である。
【００２４】
【化１７】
0003977915.tif 000012
ここではベンジル基が、置換基、例えば（ｉ）ブロモメチル（好ましくはメタ位またはパラ位）、（ii）−ＣＯＯＨ（好ましくはパラ位）、下記（iii），（iv），（ｖ）を任意に有する。
【００２５】
【化１８】
0003977915.tif 000013
（好ましくはパラ位）、
【化１９】
0003977915.tif 000014
ここではＢがアルキル基であり、好ましくは１個から約３個までの炭素原子（好ましくはパラ位）から成る。
【００２６】
【化２０】
0003977915.tif 000015
（好ましくはパラ位）。Ｒ3およびＲ4は各々、互いに独立して以下の式のようになる。
【００２７】
【化２１】
0003977915.tif 000016
ここではＲ6が長鎖状アルキル基であり、飽和または不飽和の状態であり、約８個から約２２個までの炭素原子から成り、Ｘは任意のハロゲン化アニオン（Ｒ2がアニオン種を含む場合に存在するか、または存在しなくてもよい）、例えばフッ化物、塩化物、臭化物またはヨウ化物であり、臭化物が好ましい。Ｒ6は、アルキル鎖内の１つ以上の不飽和結合を含んでもよいが、２つ以上の飽和基が鎖内で共役しないことが好ましい。Ｒ3およびＲ4は、互いに同じであるか、異なるかのいずれであってもよい。好ましいＲ3およびＲ4基の一例を挙げると以下のようになる。
【００２８】
【化２２】
0003977915.tif 000017
ここではｎが整数であり、約６個から約２０個までの炭素原子から成る。ビス（アルキルエステル）アンモニウム化合物からなる重合されたリポソームが望ましい場合、分子内には少なくとも１個の不飽和基が存在しなければならない。この類の好適な物質の特定の例として、［３−（ブロモメチル）ベンジル］ビス［２−（１０−ウンデセノイルオキシ）エチル］メチルアンモニウム臭化物、（４−カルボキシベンジル）ビス［２−（１０−ウンデセンノイルオキシ）エチル］メチルアンモニウム臭化物、（４−カルボキシベンジル）ビス［２−（１０−ウンデセノイルオキシ）エチル］メチルアンモニウム臭化物のＮ−ヒドロキシスクシンイミドエステル、［ビス［２−（１０−ウンデセノイルオキシ）エチル］メチルアンモニオ］プロパン−３−スルホン酸塩、［ビス［２−（１０−ウンデセノイルオキシ）エチル］アンモニオ）ビス（エタンスルホン酸塩）、ビス［２−（１０−ウンデセノイルオキシ）エチル］ジメチルアンモニウム臭化物およびビス［２−（１０−ウンデセノイルオキシカルボニル）−エチル］ジメチルアンモニウム臭化物が挙げられる。これらの化合物は、周知の、または好適な方法、例えばＧｕｏ他、「Ｓｙｎｔｈｅｓｉｓ ｏｆ Ｓｕｒｆａｃｅ−Ｆｕｎｃｔｉｏｎａｌｉｚｅｄ，Ｐｒｏｂｅ−Ｃｏｎｔａｉｎｉｎｇ，ＰｏｌｙｍｅｒｉｚｅｄＶｅｓｉｃｌｅｓ Ｄｅｒｉｖｅｄ ｆｒｏｍ Ａｍｍｏｎｉｕｍ Ｂｒｏｍｉｄｅ Ｓｕｒｆａｃｔａｎｔｓ」，Ｌａｎｇｍｕｉｒ，ｖｏｌ．８，ｐｐ．８１５−８２３（１９９２）およびＴｕｎｄｏ他、Ｊ．Ａｍ．Ｃｈｅｍ．Ｓｏｃ．，ｖｏｌ．１０４，ｐｐ．４５６−４６１（１９８２）に述べられている方法によって生成可能である。例えば、ビス［２−（１０−ウンデセノイルオキシカルボニル）−エチル］ジメチルアンモニウム臭化物は、まず１０−ウンデセノイル酸塩化物をＮ−メチルイミノビス（エタノール）で反応させてアミン（ビス−（２−（１０−ウンデセノイルオキシカルボニル）エチル）メチルアミン）を生成することにより、生成可能である。その結果生じるＨＣｌ塩を水酸化ナトリウムを用いて抽出した後、純アミンが得られる。このアミンは、その後、ジメチル硫酸塩と反応させ、臭化カリウム溶液を用いて抽出を行い、ビス［２−（１０−ウンデセノイルオキシカルボニル）−エチル］ジメチルアンモニウム臭化物が得られる。
【００２９】
必要ならば、コレステロールを用いて、リポソームを含有する溶液内に含めてリポソームの安定性を向上することも可能である。混合物の例として以下のものが挙げられる（しかし、これらに限定されない）：（ａ）ホスファチジルコリン（０．６３重量部）と、ホスファチジン酸（０．１４重量部）と、水（１０重量部）中のコレステロール（０．３９重量部）との混合物、ここでは粒子が一般に約１００ナノメータの平均直径を有する；（ｂ）コレステロール（２．５重量部）と、種々の溶媒中の１，２−ジミリストイル−ｓｎ−グリセロ−３−ホスホグリセリン（２．５重量部）等の混合物。溶媒の例としては、（ｉ）水（１００重量部）、（ii）水（９５重量部）とスルホラン（５重量部）との混合物、（iii）水（９５重量部）とエチレングリコール（５重量部）との混合物、（iv）水（９３重量部）とブチルカルビトール（７重量部）との混合物、（ｖ）水（８６重量部）とスルホラン（５重量部）と、ブチルカルビトール（９重量部）との混合物、（vi）水（９５重量部）と、スルホラン（３重量部）と、ブチルカルビトール（２重量部）との混合物等が挙げられる；（ｃ）コレステロール（２．５重量部）と、１，２−ジミリストイル−ｓｎ−グリセロ−３−ホスホグリセリン（１．３重量部）と、種々の溶媒中の１，２−ジミリストイル−ｓｎ−グリセロ−３−ホスホエタノールアミン（１．３重量部）等の混合物。溶媒の例としては、（ｉ）水（１００重量部）、（ii）水（９５重量部）とスルホラン（５重量部）との混合物、（iii）水（９５重量部）と、エチレングリコール（５重量部）との混合物、（iv）水（９３重量部）と、ブチルカルビトール（７重量部）との混合物、（ｖ）水（８６重量部）と、スルホラン（５重量部）と、ブチルカルビトール（９重量部）との混合物、（vi）水（９５重量部）と、スルホラン（３重量部）と、ブチルカルビトール（２重量部）との混合物が挙げられる；（ｄ）コレステロール（３．５重量部）と、種々の溶媒中の１，２−ジミリストイル−ｓｎ−グリセロ−３−ホスホグリセリン（１．５重量部）等の混合物。溶媒の例として、（ｉ）水（１００重量部）、（ii）水（９５重量部）とスルホラン（５重量部）との混合物、（iii）水（９５重量部）とエチレングリコール（５重量部）との混合物、（iv）水（９５重量部）と、ブチルカルビトール（５重量部）との混合物、（ｖ）水（８６重量部）と、スルホラン（５重量部）と、ブチルカルビトール（９重量部）との混合物、（vi）水（９５重量部）と、スルホラン（３重量部）と、ブチルカルビトール（２重量部）との混合物等が挙げられる；（ｅ）コレステロール（３．５重量部）と、１，２−ジミリストイル−ｓｎ−グリセロ−３−ホスホグリセリン（０．５重量部）と、種々の溶媒中の１，２−ジミリストイル−ｓｎ−グリセロ−３−ホスホエタノールアミン（１．０重量部）等の混合物。溶媒の例としては、（ｉ）水（１００重量部）、（ii）水（９５重量部）とスルホラン（５重量部）との混合物、（iii）水（９５重量部）とエチレングリコール（５重量部）との混合物、（iv）水（９５重量部）とブチルカルビトール（５重量部）との混合物、（ｖ）水（８６重量部）と、スルホラン（５重量部）と、ブチル��ルビトール（９重量部）との混合物、（vi）水（９５重量部）と、スルホラン（３重量部）と、ブチルカルビト−ル（２重量部）との混合物や他の望ましい混合物が挙げられる。
【００３０】
有効量のベシクル形成脂質が、インク内に存在する。一般に、約０．５重量パーセントから約３０重量パーセントまで、好ましくは約１重量パーセントから約１０重量パーセントまでのベシクル形成脂質がインク内に存在するが、これらの範囲外の量であってもよい。
【００３１】
ベシクル形成脂質のリポソームは、望ましい、または好適な方法、例えば脂質および水性ビヒクル（純水、または水および他の成分との混合物）を機械的分散、微量乳化、超音波処理、膜押し出し、微量流動化等により混合して生成することが可能である。例えば、微量流動器は、正確に定めたマイクロチャネルに沿って流体を高圧（約１２，０００ポンド・パー・スクエア・インチまで）でポンピングし、且つ流体を２つのストリームに分割し、それらを高速で直角に衝突させる機械である。この衝突によって、システム（乱れおよびキャビテーション）に供給されるエネルギのほとんど全てが、僅かなリポソーム形成領域内に残り、比較的小さいサイズで相対的に均一のリポソームを生成することになる。脂質は、大きな多層ベシクルの懸濁液または水性媒質における非水和脂質のスラリーとして流動剤内に導入可能である。収集された流体は、望ましい寸法のベシクルが得られるまで、ポンプおよび相互作用室を介してリサイクル可能である。
【００３２】
インク内のベシクルは、約１０ナノメータから約５００ナノメータまでの平均粒径を有するのが好ましく、通常、平均粒径が約２０ナノメ−タから約１００ナノメータまでであるのが好ましい。ブラックインクでは、約５００ナノメータまでの粒径が好適であるが、カラーインクは、リポソームが小さいインクよりも、これらの粒径での鮮明さや投影効率が低減する。ベシクルの粒径は、様々な方法で調節可能である。例えば、誘発剤やそれに関する置換基、その疎水部分の鎖長等の選択、調節された細孔サイズを介する濾過、粒子が互いに衝突する微量流動化、高せん断機械混合、他のインク成分の同一性および濃度等が挙げられる。他のインク成分は、リポソームのサイズおよび安定性に影響を及ぼす可能性がある。例えば、ベシクル形成脂質は、純水と混合すると、直径が約５０ナノメータのリポソームを形成するが、熱インクジェットインクに一般に採用される有機共溶媒および湿潤剤（ｈｕｍｅｃｔａｎｔ）等の他の成分が組成物に添加されると、リポソームが約１，５００ナノメータまでの直径に膨潤する可能性がある。その理由として、水よりも比較的極性が乏しい有機物が、内部またはリポソーム二層膜の「テール」を押しのける傾向があり、それによって膜が厚くなり、安定しにくくなる可能性が挙げられる。
【００３３】
リポソーム構造の安定性は、必要ならば向上可能である。安定化の方法として、ポリエチレングリコール等のポリアルキルエーテル類の脂質誘導体を生成し、リポソーム膜の二層構造にそれらを導入することにより、リポソームの立体安定化を必要とする。例えば、Ｌｉｐｏｓｏｍｅ  Ｔｅｃｈｎｏｌｏｇｙ  Ｉｎｃｏｒｐｏｒａｔｅｄから入手可能な「Ｓｔｅａｌｔｈ  Ｌｉｐｉｄ」は、脂質分子に共有結合されたポリエチレングリコールポリマーから成る。ポリエチレングリコールの存在により、基本的な二層構造を変性することなく、多層膜リポソームの隣接する二層間の距離を長くすることによってリポソームを立体的に安定化する。これらの物質および方法は、例えば、米国特許第５，０１３，５５６号（Ｗｏｏｄｌｅ他）に開示されており、この開示は全体的にここで引用されている。
【００３４】
他の安定化方法は、リポソーム膜内の脂質分子の重合化を必要とする。膜内の分子は、異なる程度で互いに結合される。重合化はリポソーム膜を安定化し、例えば、インク共溶媒または湿潤剤が存在する場合、リポソームが膨潤する可能性があるが、破裂しない。重合化は、一般に、１つ以上の重合可能基、例えば不飽和基等を有するためにモノマー脂質を選択し、望ましい方法、例えば、熱や紫外光等を与えることによりベシクル形成に続く重合化を行うことにより、実施される。必要ならば、重合化開始剤を採用することが可能である。リポソーム膜内の脂質分子の重合化は、例として以下の文献に開示されている：Ｈ．ＢａｄｅｒおよびＨ．Ｒｉｎｇｓｄｏｒｆ，「Ｌｉｐｏｓｏｍｅｓ  Ｆｒｏｍ  α，ω−Ｄｉｐｏｌａｒ  Ａｍｐｈｉｐｈｉｌｅｓ  Ｗｉｔｈ  ａ  Ｐｏｌｙｍｅｒｉｚａｂｌｅ  Ｄｉｙｎｅ  Ｍｏｉｅｔｙ  ｉｎ  ｔｈｅ  Ｈｙｄｒｏｐｈｏｂｉｃ  Ｃｈａｉｎ」，Ｊｏｕｒｎａｌ  ｏｆ  Ｐｏｌｙｍｅｒ  Ｓｃｉｅｎｃｅ；Ｐｏｌｙｍｅｒ  Ｃｈｅｍｉｓｔｒｙ  Ｅｄｉｔｉｏｎ，ｖｏｌ．２０，ｐ．１６２３（１９８２）；Ｄ．Ｆ．Ｏ’Ｂｒｉｅｎ他、「Ｐｒｅｐａｒａｔｉｏｎ  ａｎｄＣｈａｒａｃｔｅｒｉｚａｔｉｏｎ  ｏｆ  Ｐｏｌｙｍｅｒｉｚｅｄ  Ｌｉｐｏｓｏｍｅｓ」，Ａｎｎａｌｓ  Ｎｅｗ  Ｙｏｒｋ  Ａｃａｄｅｍｙ  ｏｆ  Ｓｃｉｅｎｃｅｓ，ｖｏｌ．４４６，ｐ．２８２（１９８５）；Ｐ．Ｔｕｎｄｏ他、「Ｆｕｎｃｔｉｏｎａｌｌｙ  Ｐｏｌｙｍｅｒｉｚｅｄ  Ｓｕｒｆａｃｔａｎｔ  Ｖｅｓｉｃｌｅｓ；Ｓｙｎｔｈｅｓｉｓ  ａｎｄ  Ｃｈａｒａｃｔｅｒｉｚａｔｉｏｎ」，Ｊ．Ａｍ．Ｃｈｅｍ．Ｓｏｃ．，ｖｏｌ．１０４，ｐ．４５６（１９８２）；Ｋ．ＫｕｒｉｈａｒａおよびＪ．Ｆｅｎｄｌｅｒ，「Ｓｔａｂｉｌｉｚａｔｉｏｎ  ｏｆ  Ｓｍａｌｌ  Ｕｎｉｌａｍｅｌｌａｒ  Ｌｉｐｏｓｏｍｅｓ：Ｐｏｌｙｍｅｒｉｚａｔｉｏｎ  ｏｆ  Ｓｕｒｆａｃｔａｎｔｓ  ｉｎ  Ｐｈｏｓｐｈｏｌｉｐｉｄ  Ｖｅｓｉｃｌｅｓ」，Ｊ．Ｃｈｅｍ．Ｓｏｃ．，Ｃｈｅｍ．Ｃｏｍｍｕｎ．，ｖｏｌ．２１，ｐ．１１８８（１９８３）；Ｈ．ＲｉｎｇｓｄｏｒｆおよびＢ．Ｓｃｈｌａｒｂ，「Ｌｉｐｏｓｏｍｅｓ  ｉｎ  ａ  Ｎｅｔ  Ｆｒｏｍ  Ｌｉｐｉｄｓ  Ｗｉｔｈ  Ｉｏｎｉｃａｌｌｙ  ｏｒ  Ｃｏｖａｌｅｎｔｌｙ  Ｂｏｕｎｄ  Ｐｏｌｙｍｅｒｉｚａｂｌｅ  Ｈｅａｄｇｒｏｕｐｓ」，Ｐｏｌｙｍ．Ｐｒｅｐｒ．（Ａｍ．Ｃｈｅｍ．Ｓｏｃ．，Ｄｉｖ．Ｐｏｌｙｍ．Ｃｈｅｍ．）ｖｏｌ．２７，ｎｏ．２，ｐ．１９５（１９８５）；Ｅ．Ｈａｓｅｇａｗａ他、「Ｓｙｎｔｈｅｓｉｓ  ｏｆ  Ｎｏｖｅｌ  Ｓｔｙｒｅｎｅ  Ｇｒｏｕｐｓ  Ｃｏｎｔａｉｎｉｎｇ  Ｇｌｙｃｅｒｏｐｈｏｓｐｈｏｃｈｏｌｉｎｅｓ  ａｎｄ  ｔｈｅｉｒ  Ｐｏｌｙｍｅｒｉｚａｔｉｏｎ  ａｓ  Ｌｉｐｏｓｏｍｅｓ」，Ｍａｋｒｏｍｏｌ．Ｃｈｅｍ．，Ｒａｐｉｄ  Ｃｏｍｍｕｎ．，ｖｏｌ．５，ｐ．７７９（１９８４）；Ｅ．Ｈａｓｅｇａｗａ他、「Ｓｙｎｔｈｅｓｉｓ  ｏｆ  Ｐｏｌｙｍｅｒｉｚａｂｌｅ  Ｇｌｙｃｅｒｏｐｈｏｓｐｈｏｃｈｏｌｉｎｅｓ  ａｎｄ  ｔｈｅｉｒ  Ｐｏｌｙｍｅｒｉｚｅｄ  Ｖｅｓｉｃｌｅｓ」，Ｐｏｌｙｍｅｒ  Ｂｕｌｌｅｔｉｎ，ｖｏｌ．１４，ｐ．３１（１９８５）；Ｐ．ＴｙｍｉｎｓｋｉおよびＩ．��ｏｎｔｉｃｅｌｌｏ「Ｐｏｌｙｍｅｒｉｚａｂｌｅ  Ｄｉｅｎｏｙｌ  Ｌｉｐｉｄｓ  ａｓ  Ｓｐｅｃｔｒｏｓｃｏｐｉｃ  Ｂｉｌａｙｅｒ  Ｍｅｍｂｒａｎｅ  Ｐｒｏｂｅｓ」，Ｊ．Ａｍ．Ｃｈｅｍ．Ｓｏｃ．，ｖｏｌ．１０９，ｐ．６５４１（１９８７）；Ｈ．Ｏｈｎｏ他、「Ｇａｍｍａ−Ｒａｙ  Ｐｏｌｙｍｅｒｉｚａｔｉｏｎ  ｏｆ  Ｐｈｏｓｐｈｏｌｉｐｉｄｓ  Ｈａｖｉｎｇ  Ｄｉｅｎｅ  ｏｒ  Ｔｒｉｅｎｅ  Ｇｒｏｕｐｓ  ａｓ  Ｌｉｐｏｓｏｍｅｓ」，Ｊｏｕｒｎａｌ  ｏｆ  Ｐｏｌｙｍｅｒ  Ｓｃｉｅｎｃｅ：Ｐｏｌｙｍｅｒ  Ｃｈｅｍｉｓｔｒｙ  Ｅｄｉｔｉｏｎ，ｖｏｌ．２４，ｐ．２９５９（１９８６）；Ｖ．Ｔｏｒｃｈｉｌｉｎ他、「Ｐｏｌｙｍｅｒｉｚａｔｉｏｎ  ｏｆ  Ｌｉｐｏｓｏｍｅ−Ｅｎｃａｐｓｕｌａｔｅｄ  Ｈｙｄｒｏｐｈｉｌｉｃ  Ｍｏｎｏｍｅｒｓ」，Ｍａｋｒｏｍｏｌ．Ｃｈｅｍ．，Ｒａｐｉｄ  Ｃｏｍｍｕｎ．，ｖｏｌ．８，ｐ．４５７（１９８７）。リポソ−ム全体が、安定化のために重合化される必要はなく、リポソームの一部分は重合化可能であるが、リポソーム膜構造の他の部分は重合化されないままである。その理由は、リポソーム構造の構造上の完全性も、顔料粒子の存在により向上されるからである。また、リポソーム膜はポリマーネットでコーティング可能であり、そこでポリマーがベシクル膜に吸着されるが、ベシクルとポリマーとの間に共有結合は存在しない。これは、例としてＫ．Ａｌｉｅｖ，Ｍａｋｒｏｍｏｌ．Ｃｈｅｍ．，Ｒａｐｉｄ  Ｃｏｍｍｕｎ．，ｖｏｌ．５，ｐ．３４５（１９８４）に開示されている。
【００３５】
本発明のインクは、顔料着色剤も含有している。本発明の実施の形態では、顔料粒子が、リポソームの中央空洞内に含まれる。本発明の他の実施の形態では、顔料粒子が、２つ以上の二層膜を有するベシクル内の２つ以上の膜構造間に含まれる。本発明のさらに他の実施の形態では、顔料粒子が、ベシクル膜内に含まれ、且つ二層膜を形成する分子間に位置する。本発明のインクに好適な顔料の例として、チャネルブラック、ファーネスブラック、ランプブラック等の様々なカーボンブラックが挙げられる。着色顔料は、赤、緑、青、茶色、紫紅色（マゼンタ）、藍色（シアン）および黄色の粒子ならびにその混合物を含む。マゼンタ顔料の例として、カラーインデックスにおけるＣＩ  ６０７１０、ＣＩ  Ｄｉｓｐｅｒｓｅｄ  Ｒｅｄ１５等の２，９−ジメチル−置換キナクリドンおよびアントラキノン染料、カラーインデックスにおけるＣＩ  ２６０５０、ＣＩ  Ｓｏｌｖｅｎｔ  Ｒｅｄ１９であるジアゾ染料等が挙げられる。好適なシアン顔料の例として、カラーインデックスにおけるＣＩ  ７４１６０、ＣＩ  Ｐｉｇｍｅｎｔ  Ｂｌｕｅ等の銅テトラ−４−（オクタデシルスルホンアミド）フタロシアニン、Ｘ−銅フタロシアニン顔料、カラーインデックスにおけるＣＩ  ６９８１０、Ｓｐｅｃｉａｌ  ＢｌｕｅＸ−２１３７等のアントラダントレンブルー等が挙げられる。選択可能な黄色顔料の例として、ジアリライド黄色３，３−ジクロロベンジデンアセトアセタニリド、カラーインデックスにおけるＣＩ  １２７００、ＣＩＳｏｌｖｅｎｔ  Ｙｅｌｌｏｗ１６であるモノアゾ顔料、カラーインデックスにおけるＦｏｒｏｎ  Ｙｅｌｌｏｗ  ＳＥ／ＧＬＮ、ＣＩ  ＤｉｓｐｅｒｓｅｄＹｅｌｌｏｗ３３等のニトロフェニルアミンスルホンアミド、２，５−ジメトキシ−４−スルホンアニリドフェニルアゾ−４’−クロロ−２，５−ジメトキシアセトアセタニリド、Ｐｅｒｍａｎｅｎｔ  Ｙｅｌｌｏｗ  ＦＧＬ等が挙げられる。顔料のさらなる例として、Ｃｏｌｕｍｂｉａ  Ｃｏｍｐａｎｙから入手可能な「Ｒａｖｅｎ５２５０」（「Ｒａｖｅｎ」は登録商標）、「Ｒａｖｅｎ５７５０」、「Ｒａｖｅｎ３５００」および他の同様のカーボンブラック製品、Ｃａｂｏｔ  Ｃｏｍｐａｎｙから入手可能な「Ｒｅｇａｌ３３０」（「Ｒｅｇａｌ」は登録商標）、「Ｂｌａｃｋ  Ｐｅａｒｌ  Ｌ」（「Ｂｌａｃｋ  Ｐｅａｒｌ」は登録商標）、「Ｂｌａｃｋ  Ｐｅａｒｌ１３００」、および他の同様なカーボンブラック製品、Ｄｅｇｕｓｓａ  Ｃｏｍｐａｎｙから入手可能なＤｅｇｕｓｓａカーボンブラック、例えばＣｏｌｏｒ  Ｂｌａｃｋ（「Ｃｏｌｏｒ  Ｂｌａｃｋ」は登録商標）シリーズ、Ｓｐｅｃｉａｌ  Ｂｌａｃｋ（「Ｓｐｅｃｉａｌ  Ｂｌａｃｋ」は登録商標）シリーズ、Ｐｒｉｎｔｔｅｘ（「Ｐｒｉｎｔｔｅｘ」は登録商標）シリーズおよびＤｅｒｕｓｓｏｌ（「Ｄｅｒｕｓｓｏｌ」は登録商標）カーボンブラックディスパージョン、Ｈｏｅｃｈｓｔ  Ｃｅｌａｎｅｓｅ  Ｃｏｒｐｏｒａｔｉｏｎから入手可能なＨｏｓｔａｆｉｎｅ（「Ｈｏｓｔａｆｉｎｅ」は登録商標）シリーズ、例えば「Ｈｏｓｔａｆｉｎｅ  Ｙｅｌｌｏｗ  ＧＲ（顔料１３）」、「Ｈｏｓｔａｆｉｎｅ  Ｙｅｌｌｏｗ（顔料８３）」、「Ｈｏｓｔａｆｉｎｅ  Ｒｅｄ  ＦＲＬＬ（顔料Ｒｅｄ９）」、「ＨｏｓｔａｆｉｎｅＲｕｂｉｎｅＦ６Ｂ（顔料１８４）」、「Ｈｏｓｔａｆｉｎｅ  Ｂｌｕｅ  ２Ｇ（顔料Ｂｌｕｅ１５：３）」、「Ｈｏｓｔａｆｉｎｅ  Ｂｌａｃｋ  Ｔ（顔料Ｂｌａｃｋ７）」および「Ｈｏｓｔａｆｉｎｅ  Ｂｌａｃｋ  ＴＳ（顔料Ｂｌａｃｋ７）」、「Ｎｏｒｍａｎｄｙ  Ｍａｇｅｎｔａ  ＲＤ−２４００」（Ｐａｕｌ  Ｕｈｌｉｃｈ）、「Ｐａｌｉｏｇｅｎ  Ｖｉｏｌｅｔ  ５１００」（ＢＡＳＦ）、「Ｐａｌｉｏｇｅｎ  Ｖｉｏｌｅｔ  ５８９０」（ＢＡＳＦ）、「Ｐｅｒｍａｎｅｎｔ  Ｖｉｏｌｅｔ  ＶＴ２６４５」（Ｐａｕｌ  Ｕｈｌｉｃｈ）、「Ｈｅｌｉｏｇｅｎ  Ｇｒｅｅｎ  Ｌ８７３０」（ＢＡＳＦ）、「Ａｒｇｙｌｅ  Ｇｒｅｅｎ  ＸＰ−１１１−Ｓ」（Ｐａｕｌ  Ｕｈｌｉｃｈ）、「Ｂｒｉｌｌｉａｎｔ  Ｇｒｅｅｎ  Ｔｏｎｅｒ  ＧＲ０９９１」（Ｐａｕｌ  Ｕｈｌｉｃｈ）、Ｈｅｌｉｏｇｅｎ  Ｂｌｕｅ  Ｌ６９００、Ｌ７０２０（ＢＡＳＦ）、Ｈｅｌｉｏｇｅｎ  Ｂｌｕｅ  Ｄ６８４０、Ｄ７０８０（ＢＡＳＦ）、「Ｓｕｄａｎ  Ｂｌｕｅ  ＯＳ」（ＢＡＳＦ）、「ＰＶ  Ｆａｓｔ  Ｂｌｕｅ  Ｂ２Ｇ０１」（Ａｍｅｒｉｃａｎ  Ｈｏｅｃｈｓｔ）、「Ｉｒｇａｌｉｔｅ  Ｂｌｕｅ  ＢＣＡ」（Ｃｉｂａ−Ｇｅｉｇｙ）、「Ｐａｌｉｏｇｅｎ  Ｂｌｕｅ  ６４７０」（ＢＡＳＦ）、「ＳｕｄａｎIII」（Ｍａｔｈｅｓｏｎ，Ｃｏｌｅｍａｎ，Ｂｅｌｌ）、「ＳｕｄａｎII」（Ｍａｔｈｅｓｏｎ，Ｃｏｌｅｍａｎ，Ｂｅｌｌ）、「ＳｕｄａｎIV」（Ｍａｔｈｅｓｏｎ，Ｃｏｌｅｍａｎ，Ｂｅｌｌ）、「ＳｕｄａｎＯｒａｎｇｅ  ６」（Ａｌｄｒｉｃｈ）、「Ｓｕｄａｎ  Ｏｒａｎｇｅ  Ｇ」（Ａｌｄｒｉｃｈ）、「Ｓｕｄａｎ  Ｏｒａｎｇｅ  ２２０」（ＢＡＳＦ）、「Ｐａｌｉｏｇｅｎ  Ｏｒａｎｇｅ  ３０４０」（ＢＡＳＦ）、「Ｏｒｔｈｏ  Ｏｒａｎｇｅ  ＯＲ  ２６７３」（Ｐａｕｌ  Ｕｈｌｉｃｈ）、ＰａｌｉｏｇｅｎＹｅｌｌｏｗ  １５２、１５６０（ＢＡＳＦ）、「Ｌｉｔｈｏｌ  Ｆａｓｔ  Ｙｅｌｌｏｗ  ０９９１Ｋ」（ＢＡＳＦ）、「Ｐａｌｉｏｔｏｌ  Ｙｅｌｌｏｗ１８４０」（ＢＡＳＦ）、「Ｎｏｖｏｐｅｒｍ  Ｙｅｌｌｏｗ  Ｆ６  １」（Ｈｏｅｃｈｓｔ）、「Ｎｏｖｏｐｅｒｍ  Ｙｅｌｌｏｗ  ＦＧ１」（Ｈｏｅｃｈｓｔ）、「Ｐｅｒｍａｎｅｎｔ  Ｙｅｌｌｏｗ  ＹＥ  ０３０５」（Ｐａｕｌ  Ｕｈｌｉｃｈ）、「Ｌｕｍｏｇｅｎ  Ｙｅｌｌｏｗ  Ｄ０７９０」（ＢＡＳＦ）、「Ｓｕｃｏ−Ｇｅｌｂ  Ｌ１２５０」（ＢＡＳＦ）、「Ｓｕｃｏ−Ｙｅｌｌｏｗ  Ｄ１３５５」（ＢＡＳＦ）、「Ｈｏｓｔａｐｅｒｍ  Ｐｉｎｋ  Ｅ」（Ａｍｅｒｉｃａｎ  Ｈｏｅｃｈｓｔ）、「Ｆａｎａｌ  Ｐｉｎｋ  Ｄ４８３０」（ＢＡＳＦ）、「Ｃｉｎｑｕａｓｉａ  Ｍａｇｅｎｔａ」（ＤｕＰｏｎｔ）、「Ｌｉｔｈｏｌ  Ｓｃａｒｌｅｔ  Ｄ３７００」（ＢＡＳＦ）、「Ｔｏｌｉｄｉｎｅ  Ｒｅｄ」（Ａｌｄｒｉｃｈ）、「Ｓｃａｒｌｅｔ  ｆｏｒ  Ｔｈｅｒｍｏｐｌａｓｔ  ＮＳＤ  ＰＳ  ＰＡ」（Ｕｇｉｎｅ  Ｋｕｈｌｍａｎｎ  ｏｆ  Ｃａｎａｄａ）、「Ｅ．Ｄ．Ｔｏｌｕｉｄｉｎｅ  Ｒｅｄ」（Ａｌｄｒｉｃｈ）、「Ｌｉｔｈｏｌ  Ｒｕｂｉｎｅ  Ｔｏｎｅｒ」（Ｐａｕｌ  Ｕｈｌｉｃｈ）、「Ｌｉｔｈｏｌ  Ｓｃａｒｌｅｔ  ４４４０」（ＢＡＳＦ）、「Ｂｏｎ  Ｒｅｄ  Ｃ」（Ｄｏｍｉｎｉｏｎ  Ｃｏｌｏｒ  Ｃｏｍｐａｎｙ）、「Ｒｏｙａｌ  Ｂｒｉｌｌｉａｎｔ  Ｒｅｄ  ＲＤ−８１９２」（Ｐａｕｌ  Ｕｈｌｉｃｈ）、「Ｏｒａｃｅｔ  Ｐｉｎｋ  ＲＦ」（Ｃｉｂａ−Ｇｅｉｇｙ）、「Ｐａｌｉｏｇｅｎ  Ｒｅｄ  ３８７１Ｋ」（ＢＡＳＦ）、「Ｐａｌｉｏｇｅｎ  Ｒｅｄ  ３３４０」（ＢＡＳＦ）、「Ｌｉｔｈｏｌ  Ｆａｓｔ  Ｓｃａｒｌｅｔ  Ｌ４３００」（ＢＡＳＦ）、「ＣＡＢ−Ｏ−ＪＥＴ  ２００」親水性カーボンブラック（Ｃａｂｏｔ  Ｃｏｒｐ．）、「ＣＡＢ−Ｏ−ＪＥＴ  ３００」親水性カーボンブラック（Ｃａｂｏｔ  Ｃｏｒｐ．）等が挙げられる。さらなる好適な商業上入手可能な顔料分散剤として、Ｈｏｅｃｈｓｔから入手可能である、「Ｈｏｓｔａｆｉｎｅ  Ｙｅｌｌｏｗ  ＨＲ」および「Ｈｏｓｔａｆｉｎｅ  Ｂｌｕｅ  Ｂ２Ｇ」を含むＨｏｓｔａｆｉｎｅや、ＢＡＳＦから入手可能である、「Ｄｉｓｐｅｒｓｅ  Ｂｌａｃｋ  ００−６６０７」、「Ｌｕｃｏｎｙｌ  Ｙｅｌｌｏｗ  １２５０」、「Ｂａｓｏｆｌｅｘ  Ｐｉｎｋ  ４８１０」、「Ｌｕｃｏｎｙｌ  Ｂｌｕｅ  ７０５０」等を含む分散剤が挙げられる。好適な親水性顔料粒子のさらなる例として、例えば米国特許第４，８７７，４５１号や米国特許第５，３７８，５７４号に開示されるように生成される着色シリカ粒子が挙げられる。この開示は各々、全体的にここで引用されている。他の顔料も、選択可能である。顔料粒径は、ビヒクル液内の粒子の安定したコロイド懸濁を可能にし、熱インクジェットプリンタでインクを使用する場合にインクチャネル（インク路）の目詰まりを防止するように、できるだけ小さいのが好ましい。好ましい平均粒径は、一般に約０．００１ミクロンから約５ミクロンまでであり、より好ましくは約０．１ミクロンから約１ミクロンまでであるが、これらの範囲外であってもよい。
【００３６】
本発明のインク組成物内には、有効量の顔料が存在し、望ましい着色度を達成する。一般に、約０．１重量パーセントから約８重量パーセントまで、好ましくは約２重量パーセントから約７重量パーセントまでの量の顔料がインク内に存在するが、これらの範囲外の量であってもよい。
【００３７】
顔料粒子およびリポソームは、顔料粒子の表面積の少なくとも５０パーセント、好ましくは１００パーセントがリポソームと接触するように、互いに相対量存在するのが好ましいが、より少ない相対量のリポソームを選択してもよい。選択した顔料を市販の分散剤として購入しない場合、リポソームによる顔料粒子のカバレージは、最適安定性に対して１００パーセントであるのが好ましい。顔料粒子およびリポソームは、リポソーム１００重量部に対して顔料が約２５重量部から約５００重量部までの相対量で互いに存在するのが好ましいが、この範囲外であってもよい。
【００３８】
インク内には、他の添加剤も存在可能である。例えば、１つ以上の分散剤や界面活性剤や、湿潤剤をインクに添加することも可能である。これらの添加剤は、カチオン、アニオンまたは非イオン型式でもよく、非イオン型式が好ましい。好適な界面活性剤、分散剤および湿潤剤は、ナフタレンスルホン酸塩およびホルムアルデヒドの共重合体を含み、Ｗ．Ｒ．Ｇｒａｃｅ＆Ｃｏｍｐａｎｙから入手可能なＤａｘａｄ（「Ｄａｘａｄ」は登録商標）１１、１１ＫＬＳ、１９、１９Ｋ等、Ｄｉａｍｏｎｄ  Ｓｈａｍｒｏｃｋ  Ｃｏｒｐｏｒａｔｉｏｎから入手可能なＬｏｍａｒ（「Ｌｏｍａｒ」は登録商標）Ｄシリーズ、Ｐｏｌｙｓｃｉｅｎｃｅ  Ｃｏｍｐａｎｙから入手可能なビニル芳香族塩、Ｒｏｈｍ  ａｎｄ  Ｈａａｓ  Ｃｏｍｐａｎｙから入手可能な「Ｔａｍｏｌ  ＳＮ」（「Ｔａｍｏｌ」は登録商標）、「Ｔａｍｏｌ  ＬＧ」、Ｔｒｉｔｏｎ（「Ｔｒｉｔｏｎ」は登録商標）シリーズ、ＧＡＦ  Ｃｏｍｐａｎｙから入手可能なＩｇｅｐａｌ（「Ｉｇｅｐａｌ」は登録商標）シリーズ、Ｕｎｉｏｎ  Ｃａｒｂｉｄｅから入手可能なＴｅｒｇｉｔｏｌ（「Ｔｅｒｇｉｔｏｌ」は登録商標）シリーズ、並びに商業上入手可能な他の界面活性剤が挙げられる。これらの界面活性剤、分散剤および湿潤剤が存在する場合には、有効量または望ましい量で存在し、一般にインクの約０．０１重量パーセントから約１０重量パーセントまで、好ましくはインクの約０．０１重量パーセントから約３重量パーセントまでであるが、これらの範囲外であってもよい。
【００３９】
インクへの添加剤の一例として、中央のビスフェノールＡ型部分（ｍｏｉｅｔｙ）に結合された２つのポリアルキレン酸化物チェーンから成るポリマー添加剤が挙げられる。この添加剤は以下の式で表される。
【００４０】
【化２３】
0003977915.tif 000018
ここではＲ1およびＲ2が、水素、１個ないし約８個の炭素原子を有するメチル、エチル、プロピル等のアルキル基、１個ないし約８個の炭素原子を有するメトキシ、エトキシ、ブトキシ等のアルコキシ基から成る群から独立して選択され、Ｒ3およびＲ4が、１個ないし約４個の炭素原子を有するアルキル基から成る群から独立して選択され、ｘおよびｙが各々独立して、約１００から約４００、好ましくは約１００から約２００の数である。一般に、ポリアルキレン酸化物ポリマーの分子量が、約１４，０００から約２２，０００であり、好ましくは約１５，０００から約２０，０００であるが、この範囲外であってもよい。この式の物質は、商業上入手可能である。例えば、Ｕｎｉｏｎ Ｃａｒｂｉｄｅ Ｃｏｒｐｏｒａｔｉｏｎ，Ｄａｎｂｕｒｙ，ＣＴから入手可能な「Ｃａｒｂｏｗａｘ Ｍ２０」、分子量約１８，０００である上記式のポリエチレン酸化物／ビスフェノール−Ａポリマーが、本発明のインクに好適なポリマー添加剤である。さらに、上記式の化合物は、Ｐｏｌｙｅｔｈｅｒｓ，Ｎ．Ｇ．Ｇａｙｌｏｒｄ，Ｊｏｈｎ Ｗｉｌｅｙ＆Ｓｏｎｓ，Ｎｅｗ Ｙｏｒｋ（１９６３）および「Ｌａｂｏｒａｔｏｒｙ Ｓｙｎｔｈｅｓｉｓ ｏｆ Ｐｏｌｙｅｔｈｙｌｅｎｅ ＧｌｙｃｏｌＤｅｒｉｖａｔｉｖｅｓ」，Ｊ．Ｍ．Ｈａｒｒｉｓ，Ｊ．ＭｏｌｅｃｕｌａｒＳｃｉｅｎｃｅ−Ｒｅｖ．Ｍａｃｒｏｍｏｌ．Ｃｈｅｍ．Ｐｈｙｓ．，Ｃ２５（３），３２５−３７３（１９８５）に開示されている方法によって生成可能である。一般に、１００万あたり少なくとも約１部の量のポリアルキレン酸化物添加剤がインク内に存在する。典型的な例として、インクの１重量パーセントまで、好ましくは０．５重量パーセントまでのポリアルキレン酸化物添加剤が存在する。添加剤の量を多くすると、インクの粘度を望ましいレベル以上に増大する可能性があるが、増大したインク粘度が問題にならない場合には量を増やすことが可能である。これらの添加剤を含有するインクは、米国特許第５，２０７，８２５号に開示されている。
【００４１】
本発明のインク組成物に対する他の任意の添加剤として以下のものが挙げられる：生命破壊剤（ｂｉｏｃｉｄｅ）、例えばＤｏｗｉｃｉｌ  １５０、２００および７５、安息香酸塩、ソルビット酸塩等、これらは一般に約０．０００１重量パーセントから約４重量パーセントまで、好ましくは約０．０１重量パーセントから約２．０重量パーセントまでの量であるが、これらの範囲外であってもよい；湿潤剤、例えばエチレングリコール、ジエチレングリコール、プロピレングリコール、Ｎ−メチルピロリジノン、ヒドロキシエーテル類、エーテル類、アミド類、環状アミド類、スルホン類、スルホキシド類、ケトン類、ラクトン類、エステル類、アルコール類等、これらは一般に０から約７０重量パーセントまで、好ましくは約３重量パーセントから約４０重量パーセントまでの量であるが、これらの範囲外であってもよい；酸化防止剤、例えばＢＨＴ、２，６−ジ−ｔ−ブチルフェノール等のフェノール誘導体、ビタミンＥ等のトコフェロール誘導体、芳香族アミン、アルキルおよび芳香族硫化物等、これらは一般に０から約１０重量パーセントまで、好ましくは０から約５重量パーセントまでの量であるが、これらの範囲外であってもよい；ｐＨ制御剤、例えば酢酸、リン酸、ホウ酸、硫酸、硝酸、塩酸等を含む酸、水酸化カリウム、水酸化ナトリウム、水酸化リチウム、水酸化アンモニウム、トリメチルアミン、エタノールアミン、モルホリン、トリエタノールアミン、ジエタノールアミン等を含む塩基、リン酸塩、カルボン酸塩、亜硫酸塩、アミン塩等から成り、これらは一般に０から約１０重量パーセントまで、好ましくは約０．００１重量パーセントから約５重量パーセントまでの量で存在するが、これらの範囲外であってもよい；乾燥促進剤、例えばナトリウムラウリル硫酸塩、Ｎ，Ｎ−ジエチル−ｍ−トルアミド、シクロヘキシルピロリジノン、ブチルカルビトール等、これらは一般に約０．００１重量パーセントから約５重量パーセントまで、好ましくは約０．０１重量パーセントから約３重量パーセントまでの量で存在するが、これらの範囲外であってもよい；表面張力変性剤、例えばラウリル硫酸ナトリウム、オクチル硫酸ナトリウム等、これらは一般に０から約１０重量パーセントまで、好ましくは０から約５重量パーセントまでの量で存在するが、これらの範囲外であってもよい；インク浸透剤、例えばアルコール類、ラウリル硫酸ナトリウム、エステル類、ケトン類等、これらは一般に約０．００１重量パーセントから約１５重量パーセントまで、好ましくは約０．００１重量パーセントから約１０重量パーセントまでの量で存在するが、これらの範囲外であってもよい；耐水性や耐光性を向上させるための添加剤、例えばポリエチレンイミン、エチレンおよびプロピレン酸化物変性ポリエチレンイミン等、これらは一般に０から約１０重量パーセントまで、好ましくは０から約５重量パーセントまでの量で存在するが、これらの範囲外であってもよい。インク組成物の粘度は、一般に、約１センチポイズから約１０センチポイズ（２５℃で測定）であり、好ましくは約３センチポイズ未満であるが、これらの範囲外であってもよい。インク組成物の表面張力は、一般に約２０ミリニュートン・パー・���ータ（ｍＮ／ｍ）から約５５ミリニュートン・パー・メータ（ｍＮ／ｍ）（約２５℃で測定）までであり、好ましくは約２５ｍＮ／ｍから約５０ｍＮ／ｍまでであるが、これらの範囲外であってもよい。
【００４２】
本発明のインクは、水性インクを生成するのに好適な方法によって生成可能である。例えば、生成したリポソームを含むインク成分は、望ましい量で混合され、均一なインク成分が生じるまで撹拌され得る（一般に約３０分であるが、混合／撹拌時間はこの期間より長くてもよいし、短くてもよい）。必要に応じて、インク成分を混合中に加熱することも可能である。混合および撹拌の後、必要に応じてインクのｐＨを調節可能である。最終的に、インク成分は一般に濾過され、望ましくない固体または粒子物体を除去し、好ましくは平均粒径が約２ミクロン以上の粒子を除去する。リポソーム系インクは、濾過工程には適さないが、これらの場合には、遠心分離によって大きい粒子を除去することができる。生成されたリポソームは、例えばＬｉｐｏｓｏｍｅｓ，Ａ  Ｐｒａｃｔｉｃａｌ  Ａｐｐｒｏａｃｈ，Ｒ．Ｒ．Ｃ．編集、Ｎｅｗ，ＩＲＬ  Ｐｒｅｓｓ，Ｏｘｆｏｒｄ  Ｕｎｉｖｅｒｓｉｔｙ  Ｐｒｅｓｓ（１９９０）に開示されている好適な、または望ましい方法で得られる。脂質の溶液からリポソームを得るために好適な方法の特定の例として、機械的分散、微量流動化および超音波処理工程、またはそのいずれか、フレンチプレス、膜押し出し、溶媒分散等が挙げられる。
【００４３】
本発明のインクを熱インクジェットプリンタに導入し、インクの小滴を紙や透明物質等の基体に画像式パターンで噴射して印刷画像を生成することも可能である。本発明のインクを採用するために好適なプリンタとして、商業上入手可能なインクジェットプリンタ、例えばＨｅｗｌｅｔｔ−Ｐａｃｋａｒｄ  Ｃｏｍｐａｎｙから入手可能な「ＴｈｉｎｋＪｅｔ」、「ＰａｉｎｔＪｅｔ」および「ＤｅｓｋＪｅｔ」（いずれも登録商標）プリンタが挙げられる。本発明のインクは、圧電性ドロップ・オン・デマンドインクジェット印刷システムや、インクを加熱できるように変性されているものも含む連続ストリームインクジェット印刷システムでの使用にも適する。好適な基体として以下のような白紙を採用することができる。例えば、「Ａｓｈｄｏｗｎ  ４０２４  ＤＰ」、「Ｃｏｒｔｌａｎｄ  ４０２４  ＤＰ」、「Ｃｈａｍｐｉｏｎ  ４０２４  ＤＰ」、「Ｘｅｒｏｘ  ４０２４  Ｄ．Ｐ．ｇｒｅｅｎ」（「Ｘｅｒｏｘ」は登録商標）、「Ｘｅｒｏｘ  ４０２４  Ｄ．Ｐ．ｐｉｎｋ」、「Ｘｅｒｏｘ  ４０２４  Ｄ．Ｐ．ｙｅｌｌｏｗ」等の「Ｘｅｒｏｘ  ４０２４」用紙、「Ｘｅｒｏｘ  ４２００」用紙、「Ｘｅｒｏｘ  １０」シリーズ用紙、カナリア罫線入り用紙、罫線入りノート用紙、Ｇｉｌｂｅｒｔ  ２５パーセントコットンボンド紙、Ｇｉｌｂｅｒｔ  １００パーセントコットンボンド紙、Ｓｔｒａｔｈｍｏｒｅボンド紙等のボンド紙、Ｓｈａｒｐ  Ｃｏｍｐａｎｙのシリカコーテッド用紙、ＪｕＪｏ用紙等のシリカでコーティングされた用紙、「Ｘｅｒｏｘ  ３Ｒ３３５１」、Ｔｅｔｒｏｎｉｘインクジェット透明用紙、Ａｒｋｒｉｇｈｔインクジェット透明用紙等の透明物質、ファブリック（織物）、テキスタイル（織物）製品、プラスチック、ポリマーフィルム、金属や木材等の無機基体が挙げられる。
【００４４】
【実施例】
実施例Ｉ
脂質ビス−（２−（１０−ウンデセノイルオキシカルボニル）−エチル）ジメチルアンモニウム臭化物を以下のように生成した。２９グラム（１４３ミリモル）の１０−ウンデセノイル塩化物を、５０ミリリットルのジメチルホルムアミド内の７．７グラム（６７ミリモル）のＮ−メチルイミノビス（エタノール）の溶液に添加した。溶液を１時間置いた後、ビス−（２−（１０−ウンデセノイルオキシカルボニル）エチル）−メチルアミン塩酸塩が自然に結晶化した。その後、１６０ミリリットルのジエチルエーテルを添加して、混合物を−１０℃で冷却し、濾過した。最後に、ビス−（２−（１０−ウンデセノイルオキシカルボニル）エチル）−メチルアミン塩酸塩を８０ミリリットルのエチルアセテートから再結晶化した。メチレン塩化物内の水酸化ナトリウムを用いてビス−（２−（１０−ウンデセノイルオキシカルボニル）エチル）−メチルアミン塩酸塩を抽出した後、純アミンを得た。収量＝３１．４ｇ。収率＝８９．２％；ｍ．ｐ．：６９〜７０℃；ＦＴ−ＩＲ（膜，単位：ｃｍ-1）：１７３８、１６４０、２８５５〜２９２７；1Ｈ−ＮＭＲ（ＣＤＣｌ3、ＴＭＳ、ビス−（２−（１０−ウンデセノイルオキシカルボニル）エチル）−メチルアミン）（単位：ｐｐｍ）：５．８７（ｍ，２Ｈ）、４．９〜５．０２（ｍ，４Ｈ）、４．１７（ｔ，４Ｈ）、２．３（ｔ，４Ｈ）、２，３５（ｓ，３Ｈ）、２．０３（ｑ、４Ｈ）、１．２８〜１．３８（ｍ（ｂｒ），２０Ｈ）；13Ｃ−ＮＭＲ（ＣＤＣｌ3，ＴＭＳ，ビス−（２−（１０−ウンデセノイルオキシカルボニル）エチル）−メチルアミン）（単位：ｐｐｍ）：１７３．７、１３９．０５、１１４．０８、６１．８７、５５．８８、４２．８０，３４．２０、３３．７０、２９．２０、２９．１、２９．０４、２９．００、２４．８４。
【００４５】
４．８８グラム（１０ミリモル）のビス−（２−（１０−ウンデセノイルオキシカルボニル）エチル）−メチルアミン液をその後、２．５グラム（２０ミリモル）のジメチル硫酸塩に添加し、８５℃で４時間加熱した。さらに、５０ミリリットルのエチルエーテルおよび５０ミリリットルの塩化メチレンを添加し、１００ミリリットルの臭化カリウムの飽和水溶液を用いて、溶液を５回抽出した。後の溶媒除去によって、ビス−（２−（１０−ウンデセノイルオキシカルボニル）−エチル）−ジメチルアンモニウム臭化物が生じた。収量＝５．４３ｇ。収率＝９９．４％；ｍ．ｐ．：１５〜２０℃；ＦＴ−ＩＲ（ＫＢｒ、単位：ｃｍ-1）：１６４１、１７４０、１７５１、２８５０〜２９２０；1Ｈ−ＮＭＲ（ＣＤＣｌ3，ＴＭＳ）（単位：ｐｐｍ）：５．８（ｍ，２Ｈ）、４．９（ｍ，４Ｈ）、４．６（ｔ（ｂｒ），４Ｈ）、４．１３（ｔ（ｂｒ），４Ｈ）、３．５４（ｓ，６Ｈ）、２．３６（ｔ、４Ｈ）、２．０３（ｑ，４Ｈ）、１．６０（ｍ（ｂｒ），４Ｈ）；１．２８〜１．３７（ｍ（ｂｒ），２０Ｈ）；13Ｃ−ＮＭＲ（ＣＤＣｌ3，ＴＭＳ）（単位：ｐｐｍ）：１７２．７、１３９．０、１１４．１０、６３．７０、５７．５０、５２．４７、３３．９０、３３．７０、２９．２０、２９．１０、２８．９８、２８．８１、２４．６。
【００４６】
その後、６３０ミリグラムの脂質ビス−（２−（１０−ウンデセノイルオキシカルボニル）−エチル）−ジメチルアンモニウム臭化物を、６００ミリグラムの黒色顔料（トリフルオロプロピルトリクロロシラン（顔料の２０重量パーセント）でコーティングした「Ｒａｖｅｎ  ５２５０」カーボンブラック）および１２ミリリットルの脱イオン水中の３ミリグラムのベンゾイル過酸化物とを混合して、水性インク組成物を生成した。トリフルオロプロピルトリクロロシランが全て揮発するまで、乾いた空気をその容器を介して通過させ、その後、揮発したトリフルオロプロピルトリクロロシランを、カーボンブラックを含有する管形反応器を通過させることによって、カーボンブラックの処理を行った。カーボンブラックの表面に、トリフルオロプロピルトリクロロシランが吸着して、カーボンブラックを疎水性にした。インク成分を水中で懸濁させた後、「Ｓｏｎｉｃａｔｏｒ（「Ｓｏｎｉｃａｔｏｒ」は登録商標）（Ｕｌｔｒａｓｏｎｉｃｓ）Ｍｏｄｅｌ３５０（Ｈｅａｔ  Ｓｙｓｔｅｍｓ−Ｕｌｔｒａｓｏｎｉｃ  Ｉｎｃ．から入手可能）を用いて、混合物を室温で４分間、超音波処理した（連続パルス５０パーセントサイクル／７マイクロチップ）。その後、８０℃で６時間、インクを加熱して、インク内のリポソームを重合化した。
【００４７】
このように生成したインクをＨｅｗｌｅｔｔ−Ｐａｃｋａｒｄ  Ｄｅｓｋｊｅｔプリンタに導入し、Ｘｅｒｏｘ  ４０２４用紙、Ａｓｈｄｏｗｎ  ４２００Ａ２６１  １４ＹＤ（−９０２Ｂ）用紙、Ｈａｍｍｅｒｍｉｌｌ用紙およびＴｉｄａｌ  ＤＰ（ＷＢＷ  ８７６５  ３０２）用紙に画像を生成し、各々の場合、エッジ不規則性、ｍｆｌｅｎおよび光学濃度が優れた画像を形成した。
【００４８】
６３０ミリグラムの脂質ビス−（２−（１０−ウンデセノイルオキシカルボニル）−エチル）−ジメチルアンモニウム臭化物を１２ミリリットルの脱イオン水と混合して、重合化リポソーム含有溶液を生成した。脂質を水中で懸濁させた後、「Ｓｏｎｉｃａｔｏｒ」（Ｕｌｔｒａｓｏｎｉｃｓ）Ｍｏｄｅｌ  ３５０（Ｈｅａｔ  Ｓｙｓｔｅｍｓ−Ｕｌｔｒａｓｏｎｉｃ  Ｉｎｃ．から入手可能）を用いて、混合物を室温で４分間、超音波処理した（連続パルス５０パーセントサイクル／７マイクロチップ）。その後、８０℃で６時間、インクを加熱して、インク内のリポソームを重合化させた。ＮＭＲ分光法を用いて重合化をモニタリングし、異なる量のエタノールを添加して粒径安定性を測定することにより、安定性を調べた。５．９ｐｐｍピークに対する強度の減少が観測され、重合化によるモノマー脂質の二重結合に起因するものであった。重合化の前後で、異なる量のエタノールを添加することによって生じる粒径の変化を測定することにより、ポリマーリポソームの安定性が増大していること（８０℃で６時間後）が証明された。重合化されていないリポソームに対して、１０体積パーセントのエタノールを添加すると、粒径が約２５０ｎｍ未満から約４５００ｎｍ（不安定リポソーム）まで増大することがわかった。熱重合化されたリポソームは、よりずっと安定していた。重合化されたリポソームの粒径は、５０体積パーセントまでのエタノール（安定した膨潤リポソーム）を添加して約２５０ｎｍから約５００ｎｍまで時間をかけて増大した。エタノールの濃度が高くなると、約７０体積パーセントエタノールでの崩壊点で、熱重合化されたリポソームがあまり安定しないことがわかった。熱の代わりに紫外光でリポソームを重合化することを除いては同一の条件での別の実験において、結果的に生じる重合化リポソームが充分に安定化された。５０体積パーセントのエタノールを添加すると、安定リポソームの大きさが、約２５０ｎｍから約５００ｎｍまで増大し、その後、９０体積パーセントまで添加したエタノールの量に関係なく、粒径が一定のままとなった。
【００４９】
実施例II
実施例Ｉで説明したように生成した０．６グラムの脂質ビス−（２−（１０−ウンデセノイルオキシカルボニル）−エチル）ジメチルアンモニウム臭化物を、１．２グラムの顔料、０．０６グラムの遊離基開始剤および２２．２グラムの脱イオン水と混合して、水性着色インク組成物を生成した。「Ｓｏｎｉｃａｔｏｒ」（Ｕｌｔｒａｓｏｎｉｃｓ）Ｍｏｄｅｌ  ３５０（Ｈｅａｔ  Ｓｙｓｔｅｍｓ−Ｕｌｔｒａｓｏｎｉｃ  Ｉｎｃ．から入手可能）を用いて、各混合物を室温で５分間、超音波処理し（連続パルス５０パーセントサイクル／７マイクロチップ）、その後２等分した。その一方を、８０℃で６時間、油浴で加熱して重合化を行い、他方を室温で保持した（重合化しない）。
【００５０】
II．１
選択した開始剤は、ベンゾイル過酸化物（Ａｌｄｒｉｃｈ  ＣｈｅｍｉｃａｌＣｏ．，Ｍｉｌｗａｕｋｅｅ，ＷＩから入手可能）であり、顔料は「ＰＶ  Ｆａｓｔ  Ｂｌｕｅ  Ｂ２Ｇ４」（Ａｍｅｒｉｃａｎ  Ｈｏｅｃｈｓｔから入手可能）であった。このように生成され、各々が約５重量パーセントの顔料と２．５重量パーセントの脂質を含有するインク（表１のインクＡおよびＢ）を、Ｈｅｗｌｅｔｔ−Ｐａｃｋａｒｄ  「Ｄｅｓｋｊｅｔ」（登録商標）プリンタに導入し、Ｘｅｒｏｘ  ４０２４  ＤＰ用紙に画像を生成し、その結果、表１に示すようにエッジ不規則性および光学濃度が優れた画像を形成した（ここで「ｎ／ａ」は特性が測定されなかったことを示す）。
【００５１】
II．２
選択した開始剤は、ベンゾイル過酸化物（Ａｌｄｒｉｃｈ  ＣｈｅｍｉｃａｌＣｏ．，Ｍｉｌｗａｕｋｅｅ，ＷＩから入手可能）であり、顔料は、実施例Ｉで説明した方法によりトリフルオロプロピルトリクロロシラン（顔料の２０重量パーセント）でコーティングした「Ｃｏｎｄｕｃｔｅｘ  ＳＣ  Ｕｌｔｒａカーボンブラック」であった。このように生成され、各々が約５重量パーセントの顔料と２．５重量パーセントの脂質を含有するインク（表１のインクＣ、ＤおよびＥ、Ｆ（複写実験））を、Ｈｅｗｌｅｔｔ−Ｐａｃｋａｒｄ  Ｄｅｓｋｊｅｔプリンタに導入し、Ｘｅｒｏｘ  ４０２４  ＤＰ用紙に画像を生成し、その結果、表１に示すようにエッジ不規則性および光学濃度が優れた画像を形成した（ここで「ｎ／ａ」は特性が測定されなかったことを示す）。
【００５２】
II．３
選択した開始剤は、ベンゾイル過酸化物（Ａｌｄｒｉｃｈ  ＣｈｅｍｉｃａｌＣｏ．，Ｍｉｌｗａｕｋｅｅ，ＷＩから入手可能）であり、顔料は、「Ｃｏｎｄｕｃｔｅｘ  ＳＣ  Ｕｌｔｒａカーボンブラック」であった。このように生成され、各々が約５重量パーセントの顔料と２．５重量パーセントの脂質を含有するインク（表１のインクＧおよびＨ）を、Ｈｅｗｌｅｔｔ−Ｐａｃｋａｒｄ  Ｄｅｓｋｊｅｔプリンタに導入し、Ｘｅｒｏｘ  ４０２４  ＤＰ用紙に画像を生成し、その結果、表１に示すようにエッジ不規則性および光学濃度が優れた画像を形成した（ここで「ｎ／ａ」は特性が測定されなかったことを示す）。
【００５３】
【表１】
0003977915.tif 000019
上記データは、伝統的湿潤剤や共溶媒が存在しない場合でも、インクジェットプリンタからインク組成物が噴射したことを示す。さらに、インクを含有する重合化リポソームは、インクを含有する非重合化リポソームと比較して、インクの広がりが減少し、線が鮮明であることを示した。また、高度の疎水性顔料を使用することにより、光学濃度が増大した。
【図面の簡単な説明】
【図１】  疎水性顔料を含有する本発明の水性インクにおける多層膜を有するリポソームまたはベシクルを示す略図である。
【図２】  親水性顔料を含有する本発明の水性インクにおける単一の二層膜を有するリポソームまたはベシクルを示す略図である。
【図３】  水溶液中の界面活性剤分子で形成されたミセルを示す略図である。
【図４】  本発明の水性インク内の顔料粒子の周囲のリポソームまたはベシクルの配置を示す略図である。
【符号の説明】
３，１３  非極性端部、５  脂質分子、７，１７  極性端部、１１  ミセル、１５  界面活性剤分子、２１  疎水性顔料粒子、２３  親水性顔料粒子、３１  顔料粒子、３３  リポソーム。
【図１】
0003977915.tif 000026
【図２】
0003977915.tif 000027
【図３】
0003977915.tif 000028
【図４】
0003977915.tif 000029